(57)【要約】【課題】たたきコロ受け部を有することにより、左右に分割されている整合トレイにおける段差を矯正し、たたきコロの接触面をたたきコロに対して水平に接触させることができるため、用紙排出時における用紙の傾きを防止することができる用紙後処理装置を提供する。【解決手段】放出ベルト２４により左右に分断されている整合トレイ２１，２２と、放出ベルト２４と整合トレイ２１，２２との上方向に設置され、上下方向に移動可能な回転体２５と、回転体２５が接する部位を水平に保つための回転体受け部３１と、を有する。【選択図】図３
2015030576.tif 000002
【特許請求の範囲】
【請求項１】
放出ベルトにより左右に分断されている整合トレイと、
前記放出ベルトと前記整合トレイとの上方向に設置され、上下方向に移動可能な回転体と、
該回転体が接する部位を水平に保つための回転体受け部と、
を有することを特徴とする用紙後処理装置。
【請求項２】
前記回転体受け部の角度が可変することにより、前記回転体との接触角度が常に同じになる角度可変調整機構を有することを特徴とする請求項１記載の用紙後処理装置。
【請求項３】
前記角度可変調整機構は、弾性部材を用いて、前記回転体との接触面が常に水平に保つようにすることを特徴とする請求項２記載の用紙後処理装置。
【発明の詳細な説明】
【技術分野】
【０００１】
本発明は、排出された用紙束の整合を行う用紙揃え機構を有する用紙後処理装置に関する。
【背景技術】
【０００２】
従来から、ステイプルトレイ等の整合トレイでは、整合した用紙を排紙する手段として放出爪を備えているものが多く知られている。特許文献１には、ステイプルされた用紙束は放出爪により放出される技術が開示されている。
【０００３】
ステイプル完了の信号が送れられると、ステイプルトレイ周りに設置されている放出爪が作動し、用紙束をステイプルトレイから押し出す状態となる。放出爪より押し出された用紙は第１のジョガー等に案内されて排紙トレイ上に放出される。放出爪は、ステイプルトレイ上面に沿って移動可能に構成されており、用紙束の底部を係止して斜め上方向へ押し出す。
【０００４】
上記整合トレイでは、放出爪を回転させるための放出ベルトを中央部に有するため、必然的にトレイ面が左右（用紙搬送方向に対して幅方向）に分断されることになる。特許文献２には、処理トレイが中央部を除いて左右に二分割され、中央部にベルトとベルトの上方向にたたきコロとを有した後処理装置が開示されている。
【０００５】
このような整合トレイでは、たたきコロを補助的に用いて搬送されて来た用紙を排紙トレイに送り出している。その場合、用紙後処理装置においてステイプルトレイ等の整合トレイ内部へと搬送された用紙を排紙トレイに排出する際、駆動される放出ベルトに取り付けられた放出爪が用紙後端部を持上げ排出すると同時、ステイプルトレイ垂直方向に配置されているたたきコロが駆動し、用紙表面を加圧し、たたきコロの回転運動により、用紙を補助搬送し、排紙トレイへ排出する構造となる。
【発明の概要】
【発明が解決しようとする課題】
【０００６】
しかし、特許文献１，２に開示されている技術では、たたきコロでの用紙補助搬送の際、ステイプルトレイ加圧面にステイプルトレイの分割によって段差が生じた場合、その段差によってたたきコロの加圧力に差が発生するため、加圧力の高い側に搬送が優先されてしまうため、整合された用紙に傾きが生じることになる。傾きが生じたまま用紙が搬送され、排紙トレイに排出された場合、用紙積載時の用紙整合が不均一になってしまうという問題があった。
【０００７】
本発明は、前記課題を解決するためのものであり、その目的とするところは、たたきコロ受け部を有することにより、左右に分割されている整合トレイにおける段差を矯正し、たたきコロの接触面をたたきコロに対して水平に接触させることができるため、用紙排出時における用紙の傾きを防止することができる用紙後処理装置を提供することである。
【課題を解決するための手段】
【０００８】
かかる目的を達成するために、本発明は、以下の特徴を有する。
【０００９】
本発明に係る用紙後処理装置は、放出ベルトにより左右に分断されている整合トレイと、前記放出ベルトと前記整合トレイとの上方向に設置され、上下方向に移動可能な回転体と、該回転体が接する部位を水平に保つための回転体受け部と、を有することを特徴とする。
【発明の効果】
【００１０】
本発明によれば、たたきコロ受け部を有することにより、左右に分割されている整合トレイにおける段差を矯正し、たたきコロの接触面をたたきコロに対して水平に接触させることができるため、用紙排出時における用紙の傾きを防止することができる。
【図面の簡単な説明】
【００１１】
【図１】本実施形態に係る用紙後処理装置の構成を示す概略図である。
【図２】本実施形態に係るステイプルトレイの構造を示す斜視図である。
【図３】第１の実施形態に係るステイプルトレイの構成を示す斜視図である。
【図４】第１の実施形態に係るたたきコロ受け部を示す断面図である。
【図５】第２の実施形態に係る角度可変調整機構の構成を示す概略図である。
【図６】第３の実施形態に係る角度可変調整機構の構成を示す概略図である。
【発明を実施するための形態】
【００１２】
以下、本実施形態について図面により詳細に説明する。
【００１３】
まず、用紙後処理装置１の概略を説明する。図１は、本実施形態に係る用紙後処理装置１の構成を示す概略図である。
用紙後処理装置１は画像形成装置２に接続されており、画像形成装置２より搬送される印刷済み用紙に対して、穿孔、綴じ、仕分け等の後処理を実施する。用紙後処理装置１における後処理部３には、画像形成装置２より搬送されて来た用紙を積載・整合し、ステイプルユニットに送り込むステイプルトレイが存在する。
【００１４】
導入経路４には、入口ローラ５が配置され、入口ローラ５の下流には搬送ローラ６が配置され、これを経て搬送経路７へ用紙束は搬送される。搬送経路８は、用紙束を排紙トレイ１０へ搬送する経路である。導入経路５から分岐爪で進行方向を変えられた用紙束は、排出ローラ９によって排紙トレイ１０へと搬送される。
【００１５】
搬送経路７には排紙ローラ１１が配置される。ソートモード時には、シフト機構を有する搬送ローラ６が図示しない駆動手段により、搬送中に搬送方向と直角方向に一定量移動することによって、用紙束は一定量シフトし、排紙ローラ１１により排紙トレイ１２に排出され、順次スタックされていく。
【００１６】
搬送経路７には、ステイプルトレイ１３とたたきコロが配置され、搬送経路７の終端位置には、紙面と直交する方向へ進退するドライバ、クリンチャとで分割されたステイプラ１４が、配置されている。さらに紙面と直交する方向に進退してステイプルトレイ１３上の用紙の整合を行うジョガーフェンス１５などが配置されている。搬送経路７に搬送されてきた用紙は、ステイプルトレイ１３上に排出され、ジョガーフェンス１５によって幅方向位置を揃えられる。
【００１７】
また、たたきコロは、振り子運動を行って用紙上面に当接することでステイプラ１４方向にスイッチバックし、基準フェンス１６に用紙後端を突き当てることで、用紙束の縦方向位置を揃える。
【００１８】
このようにして揃えられた用紙束は、端綴じモード時はステイプラ１４が紙面と直交する方向に移動して用紙束の下縁部の適所をステイプルすることにより綴じられ、排紙ローラ１１が挟持することで、排紙トレイ１２上に排紙される。
【００１９】
中綴じモードでは、用紙または用紙束の揃え、ステイプルが完了した後に、用紙または用紙束はクランプ可動フェンスによって用紙後端を挟持され、基準フェンス１６は用紙束搬送の邪魔とならないよう用紙幅の外側に待避する。
【００２０】
用紙後端を挟持された用紙または用紙束は、ガイドレールの軌道に沿って用紙サイズに対応した所定位置まで搬送され、用紙束長センター部の適所をステイプルすることにより、中綴じされる。
【００２１】
中綴じされた用紙または用紙束は、クランプ可動フェンスによりさらに下方へ搬送され、用紙サイズ長センターが折りブレード１７の位置になるところで停止し、折り工程へ移行する。
【００２２】
折り位置に停止した用紙束は、折りブレード１７と搬送ローラ１８により、プレス折り部へ導入される。導入された用紙束をプレス板により、上下からプレスすることにより中折りをされる。中折りをされた用紙または用紙束は、搬送ローラ１８と排紙ローラ１９によって中綴じトレイ２０上に排紙される。
【００２３】
次に、ステイプルトレイ２１，２２の構造について説明する。図２は、本実施形態に係るステイプルトレイ２１，２２の構造を示す斜視図である。本実施形態では、ハーフトレイ方式によるステイプルトレイ２１，２２が用いられている。ハーフトレイ方式とは、座屈しやすい薄紙等のステイプル綴じに対してもステイプル時に座屈せず整合できるように、用紙束が排出される排紙トレイ１２に対して傾斜角を緩やかにしている。
【００２４】
その結果、図２に示すように、用紙後処理装置本体内のスペース制約上、用紙長さ方向が、用紙の長さ（縦寸法）に対し短くなる。一般的にトレイ排紙方向の長さが、トレイ全体の幅方向に比べて狭い仕様となっている。ステイプルトレイ２１，２２には、ステイプルされた用紙束を排紙トレイ１２に退出するための放出爪（図示せず）を搬送する放出ベルト２４が用紙搬送方向中央部に設けられており、そのため、用紙搬送方向に対して左右に分割される構造となっている。
【００２５】
また、放出ベルト２４の上方向にたたきコロ２５が設置されている。たたきコロ２５により、用紙表面を叩くことにより、ステイプル処理する際のエンドフェンス（図示せず）に突き当てて用紙整合したり、また、このたたきコロ２５を使って、ステイプルされた用紙束を排紙トレイ１２に排紙する際に送り出すことも行っている。
【００２６】
このたたきコロ２５は、その接するステイプルトレイ２１，２２上の用紙面がたたきコロ２５の接触面に対して水平でないと、排紙トレイ１２に用紙束を排紙する際、スキューする等正しく排紙できないため、用紙搬送方向に対して左右に分割されたステイプルトレイ２１，２２の面を、たたきコロ２５の接触面に対し水平になるよう組付ける必要がある。
【００２７】
しかし、用紙後処理装置内のステイプルトレイ２１，２２が分割化されている場合、ステイプルトレイ２１，２２の組み付けにより寸法公差のバラつきが発生しやすく、それぞれのステイプルトレイ２１，２２の水平度を出すことが困難である。
【００２８】
（第１の実施形態）
そこで、第１の実施形態に係るステイプルトレイ２１，２２について説明する。図３は、第１の実施形態に係るステイプルトレイ２１，２２の構成を示す斜視図である。図４は、第１の実施形態に係るたたきコロ受け部３１を示す断面図である。
【００２９】
図３に示すように、二分割されたハーフトレイであるステイプルトレイ２１とステイプルトレイ２２との間に放出ベルト２４が配置されている。たたきコロ受け部３１は、たたきコロ２５の接触面を水平にするために板金折り曲げ形状の一体化部品であり、たたきコロ受け部３１の凹部３１ａが放出ベルト２４内部を貫通し、たたきコロ受け部３１の両側の平面３１ｂは、ステイプルトレイ２１，２２の上面に取り付け固定される。
【００３０】
図４に示すように、たたきコロ受け部３１は板金を直角に折り曲げて凹部３１ａと平面３１ｂが形成されている。たたきコロ受け部３１の凹部３１ａは、放出ベルト２４の内部を貫通している。たたきコロ受け部３１と放出ベルト２４との上方向にたたきコロ２５が設置され、たたきコロ２５は上下方向に移動可能である。
【００３１】
たたきコロ受け部３１でたたきコロ２５の接触面を同一の部品で受けることにより、組付け時の積み上がり寸法を抑え、たたきコロ２５の接触面を水平にでき、用紙の傾き搬送を防止できる。
【００３２】
（第２の実施形態）
図５は、第２の実施形態に係る角度可変調整機構４１の構成を示す概略図である。放出ベルトは図示を省略するが、角度可変調整機構４１は上下にある放出ベルトの間に設置される。
【００３３】
角度可変調整機構４１は、たたきコロ受け部４２とたたき受け可動軸４３とを有し、用紙後処理装置内のステイプルトレイ２１，２２内のたたきコロ２５の接触面が不均一の際、たたきコロ２５の接触面の角度を可変にすることができる。たたきコロ２５は、たたきコロアームに回転自在に支持され、上下方向に移動可能である。
【００３４】
これにより、たたきコロ２５の接触面の傾きに応じて、たたき受け可動軸４３を回転させ、このたたき受け可動軸４３に保持されているたたき受け部４２が回転し、たたきコロ２５と水平に調整することで用紙搬送時の傾き是正を行う。傾きを是正することで用紙を搬送する際のたたきコロ２５とたたき受け部４２の加圧力が均一化し、用紙の傾き搬送を防止する。
【００３５】
たたきコロ受け部４２に、たたきコロ２５との接触面の角度を可変調整する角度可変調整機構４１を用いることで、用紙搬送時におけるたたきコロ２５との接触面の加圧力が変動した場合でも、用紙排出時における用紙の傾きを防止することができる。
【００３６】
（第３の実施形態）
図６は、第３の実施形態に係る角度可変調整機構５１の構成を示す概略図である。放出ベルトは図示を省略するが、角度可変調整機構５１は上下にある放出ベルトの間に設置される。
【００３７】
角度可変調整機構５１は、用紙後処理装置内のステイプルトレイ２１，２２内のたたきコロ２５で用紙を押さえ付けて用紙を搬送させる際、たたきコロ２５との接触面をたたきコロ２５の接触面５７に合わせて変動させる。
【００３８】
角度可変調整機構５１には、たたき受け部５２と支持部５３との間中央部に回転軸支柱５４が設けられ、回転軸支柱５４の両側にスプリング等の弾性部材５５が配置される。弾性部材５５は、一端がたたき受け部５２に固定され、他端が支持部５３に調整ネジ５６で固定されている。
【００３９】
これにより、たたきコロ２５にて用紙を搬送する際、たたきコロ２５で叩いた時、たたきコロ受け部５２が回転軸支柱５４を中心に、たたきコロ２５の接触面５７に対して常に平行に傾くため、たたき受け部５２は、常にたたきコロ２５の接触面５７と水平になるようになり、用紙の傾き搬送を防止する。
【００４０】
たたきコロ２５で用紙を押さえ付けて用紙を搬送させる際、角度可変調整機構５１のたたきコロ２５の接触面５７をスプリング等の弾性部材５５で変動させる機構とし、たたきコロ２５にて用紙を搬送する際、常に接触面５７と水平にすることで、用紙排出時における用紙の傾きを防止することができる。
【００４１】
本実施形態によれば、たたきコロ受け部を有することにより、左右に分割されている整合トレイにおける段差を矯正し、たたきコロの接触面をたたきコロに対して水平に接触させることができるため、用紙排出時における用紙の傾きを防止することができる。
【００４２】
なお、上述した実施の形態は、本発明の好適な実施の形態の一例を示すものであり、本発明はそれに限定されることなく、その要旨を逸脱しない範囲内において、種々変形実施が可能である。
【符号の説明】
【００４３】
１    用紙後処理装置
２    画像形成装置
３    後処理部
１２    排紙トレイ
２１    ステイプルトレイ
２４    放出ベルト
２５    たたきコロ
３１    たたきコロ受け部
４１    角度可変調整機構
４３    たたき受け可動軸
５５    弾性部材
【先行技術文献】
【特許文献】
【００４４】
【特許文献１】特開２００７−１６９９号公報
【特許文献２】特許第４４９５６５６号公報
【図１】
2015030576.tif 000003
【図２】
2015030576.tif 000004
【図３】
2015030576.tif 000005
【図４】
2015030576.tif 000006
【図５】
2015030576.tif 000007
【図６】
2015030576.tif 000008